(57)【要約】      （修正有）【課題】ダンボールの空箱を押し潰して貯留する機械式圧縮古紙格納庫を提供する。【解決手段】開口１１が形成されたコンテナ１２と、開口１１の周縁１１ａに連結された傾斜面１３及び傾斜面１３と一体となって下方に窪んだ空箱収容溝１４を形成する対向面１３ａを備えた空箱支持部材１５と、可動部２８が傾斜面１３に沿って進退する第１のアクチュエータ１６、１６ａ、第１のアクチュエータ１６、１６ａの可動部２８に取付けられた回動板１７及び回動板１７を回動させる第２のアクチュエータ１８、１８ａを備えた空箱送り機構１９とを有する。さらに、第２のアクチュエータ１８、１８ａを作動して回動板１７を傾斜面１３に接近させ、空箱収容溝１４内に置かれたダンボールの空箱を回動板１７と傾斜面１３で挟んで押し潰し、第１のアクチュエータ１６、１６ａを作動して、そのダンボールの空箱を傾斜面１３に沿って移動させ開口１１を介してコンテナ１２内に押し込む。【選択図】図２
0003172730.tif 000002
【実用新案登録請求の範囲】
【請求項１】
開口が側部に形成されたコンテナと、
前記開口の周縁に連結された傾斜面及び該傾斜面と一体となって下方に窪んだ空箱収容溝を形成する対向面を備えた空箱支持部材と、
前記コンテナに固定され可動部が前記傾斜面に沿って進退する第１のアクチュエータ、該第１のアクチュエータの該可動部に連結具を介して取付けられた回動板及び該回動板を回動させ、該回動板の一側を前記傾斜面に接近させる第２のアクチュエータを備えた空箱送り機構とを有し、
前記空箱送り機構は、前記第２のアクチュエータを作動して前記回動板の一側を前記傾斜面に接近させ、前記空箱収容溝内に置かれたダンボールの空箱を該回動板と前記傾斜面で挟んで押し潰し、前記第１のアクチュエータを作動して、押し潰された該ダンボールの空箱を前記傾斜面に沿って移動させ、前記開口を介して前記コンテナ内に押し込むことを特徴とする機械式圧縮古紙格納庫。
【請求項２】
請求項１記載の機械式圧縮古紙格納庫において、前記第１、第２のアクチュエータは油圧シリンダであることを特徴とする機械式圧縮古紙格納庫。
【請求項３】
請求項１又は２記載の機械式圧縮古紙格納庫において、前記コンテナは、前記開口が形成された側部とは別の側部に扉を備え、該コンテナ内に収容された前記ダンボールの空箱は、該扉を開け放つことで外部に取出し可能となることを特徴とする機械式圧縮古紙格納庫。
【考案の詳細な説明】
【技術分野】
【０００１】
本考案は、ダンボールの空箱を貯留する機械式圧縮古紙格納庫に関する。
【背景技術】
【０００２】
スーパーや、ホームセンター等の店舗では、商品を梱包していたダンボールの空箱が日々大量に発生する。ダンボールの空箱は、組み立てられた状態では容量が大きいため、折り畳んで、店舗にある収容容器（例えば、特許文献１参照）内に入れられ、廃棄物処理業者によって定期的に回収される。
【先行技術文献】
【特許文献】
【０００３】
【特許文献１】特開２０００−１４２９０４号公報
【考案の概要】
【考案が解決しようとする課題】
【０００４】
しかしながら、店舗では、ダンボールの空箱を折り畳む作業にスタッフの時間を割く必要があり、大量のダンボールの空箱が発生する店舗では、この作業が大きな負担となっていた。
本考案はかかる事情に鑑みてなされたもので、ダンボールの空箱を押し潰して貯留する機械式圧縮古紙格納庫を提供することを目的とする。
【課題を解決するための手段】
【０００５】
前記目的に沿う本考案に係る機械式圧縮古紙格納庫は、開口が側部に形成されたコンテナと、前記開口の周縁に連結された傾斜面及び該傾斜面と一体となって下方に窪んだ空箱収容溝を形成する対向面を備えた空箱支持部材と、前記コンテナに固定され可動部が前記傾斜面に沿って進退する第１のアクチュエータ、該第１のアクチュエータの該可動部に連結具を介して取付けられた回動板及び該回動板を回動させ、該回動板の一側を前記傾斜面に接近させる第２のアクチュエータを備えた空箱送り機構とを有し、前記空箱送り機構は、前記第２のアクチュエータを作動して前記回動板の一側を前記傾斜面に接近させ、前記空箱収容溝内に置かれたダンボールの空箱を該回動板と前記傾斜面で挟んで押し潰し、前記第１のアクチュエータを作動して、押し潰された該ダンボールの空箱を前記傾斜面に沿って移動させ、前記開口を介して前記コンテナ内に押し込む。
【０００６】
本考案に係る機械式圧縮古紙格納庫において、前記第１、第２のアクチュエータは油圧シリンダであるのが好ましい。
【０００７】
本考案に係る機械式圧縮古紙格納庫において、前記コンテナは、前記開口が形成された側部とは別の側部に扉を備え、該コンテナ内に収容された前記ダンボールの空箱は、該扉を開け放つことで外部に取出し可能となるのが好ましい。
【考案の効果】
【０００８】
本考案に係る機械式圧縮古紙格納庫は、空箱送り機構が、第２のアクチュエータを作動して空箱収容溝内に置かれたダンボールの空箱を回動板と傾斜面で挟んで押し潰し、第１のアクチュエータを作動して、押し潰されたダンボールの空箱を、開口を介してコンテナ内に押し込む。このため、ダンボールの空箱は潰された状態でコンテナ内に収容され、ダンボールの空箱を折り畳む作業を省略することが可能である。
また、第１のアクチュエータを作動して、押し潰されたダンボールの空箱を傾斜面に沿って移動させるので、ダンボールの空箱を確実に開口まで案内することができる。
【０００９】
本考案に係る機械式圧縮古紙格納庫において、第１、第２のアクチュエータが油圧シリンダである場合、コンテナ内がダンボールの空箱で一杯になった状態でも、コンテナ内のダンボールの空箱から受ける力に反して新たなダンボールの空箱をコンテナ内に押し込むことができる。
【００１０】
本考案に係る機械式圧縮古紙格納庫において、コンテナが、側部に扉を備え、コンテナ内に収容されたダンボールの空箱が、扉を開け放つことで外部に取出し可能となる場合、コンテナ内に収容されたダンボールの空箱を容易に取出すことが可能である。
【図面の簡単な説明】
【００１１】
【図１】（Ａ）、（Ｂ）は、それぞれ本考案の一実施の形態に係る機械式圧縮古紙格納庫の側面図及び背面図である。
【図２】（Ａ）、（Ｂ）は、ダンボールの空箱を押し潰してコンテナ内に押し込む様子を示す説明図である。
【考案を実施するための形態】
【００１２】
続いて、添付した図面を参照しつつ、本考案を具体化した実施の形態につき説明し、本考案の理解に供する。
図１、図２に示すように、本考案の一実施の形態に係る機械式圧縮古紙格納庫１０は、開口１１が側部に形成されたコンテナ１２と、開口１１の周縁１１ａに連結された傾斜面１３及び傾斜面１３と一体となって下方に窪んだ空箱収容溝１４を形成する対向面１３ａを備えた空箱支持部材１５と、コンテナ１２に固定された第１のアクチュエータ１６、１６ａ、第１のアクチュエータ１６、１６ａに取付けられた回動板１７及び回動板１７を回動させる第２のアクチュエータ１８、１８ａを備えた空箱送り機構１９とを有している。以下、これらについて詳細に説明する。
【００１３】
コンテナ１２は、図１（Ａ）に示すように、複数の棒材２０によって補強された金属板２１によって上部、底部及び左右の側部が覆われ、後側の側部には、図１（Ｂ）に示すように、２枚の扉パネル２２を備えた観音扉（扉の一例）２３が設けられている。
本実施の形態ではコンテナ１２は高さが３００ｃｍ、前後の長さが４００ｃｍ、左右の幅が３００ｃｍであるが、設置場所に合わせて異なる大きさに設計することができる。
【００１４】
各扉パネル２２には、棒状のロック機構２４が取付けられ、各ロック機構２４は、コンテナ１２の後側の側壁部の上下に設けられた固定具２５に掛止されることによって扉パネル２２を閉じた状態で固定する。
そして、各扉パネル２２は、固定具２５に掛止されたロック機構２４を固定具２５から外すことによって開くことが可能な状態となる。
【００１５】
コンテナ１２の前側の側部には、図２（Ａ）、（Ｂ）に示すように、コンテナ１２の底部から距離（本実施の形態では５０〜１００ｃｍ）を有する位置に矩形の開口１１が形成され、開口１１が形成されたコンテナ１２の前側の側部には、空箱支持部材１５が固定されている。
空箱支持部材１５は、開口１１の周縁１１ａに上端部が連結され前側に下方傾斜する傾斜面１３及び傾斜面１３に連続して形成された対向面１３ａを備えている。
【００１６】
対向面１３ａは、下端部が傾斜面１３の下端部に接合する曲面であって、傾斜面１３及び対向面１３ａは、下方に窪んだ断面Ｖ字状の空箱収容溝１４を形成している。空箱支持部材１５は、この空箱収容溝１４によって、作業者がダンボールの空箱を置くスペースを確保している。
なお、ダンボールの空箱は、組み立てられた状態のダンボールの空箱を意味し、以下同様とする。
【００１７】
空箱支持部材１５は、図１（Ａ）、図２（Ａ）、（Ｂ）に示すように、左右に距離を有して配置された側板２６、２７を備えている。傾斜面１３及び対向面１３ａは共に、左端が側板２６に当接し、右端が側板２７に当接し、側板２６、２７の間に配置されている。
従って、空箱収容溝１４内に置かれたダンボールの空箱は、傾斜面１３、対向面１３ａ及び側板２６、２７によって四方から囲まれ、空箱収容溝１４からの落下を防止された状態となる。
また、側板２６、２７の間は、傾斜面１３及び対向面１３ａの上方が開放されているので、作業者は、ダンボールの空箱を傾斜面１３及び対向面１３ａの上方から空箱収容溝１４に投入することができる。
【００１８】
空箱送り機構１９は、第１のアクチュエータ１６、１６ａと、第１のアクチュエータ１６、１６ａに回動可能に取付けられた回動板１７を有している。第１のアクチュエータ１６、１６ａは、油圧シリンダであって、それぞれ可動ロッド（可動部の一例）２８を備えている。
第１のアクチュエータ１６の可動ロッド２８及び第１のアクチュエータ１６ａの可動ロッド２８には、それぞれ連結具２９、２９ａが固定されている。
回動板１７は、連結具２９、２９ａに軸止めされ、連結具２９を介して第１のアクチュエータ１６の可動ロッド２８に取付けられ、連結具２９ａを介して第１のアクチュエータ１６ａの可動ロッド２８に取付けられている。
【００１９】
そして、第１のアクチュエータ１６に固定された連結具２９には、支持部材３０が取付けられ、支持部材３０には、第２のアクチュエータ１８が回動可能に取付けられている。第１のアクチュエータ１６ａに固定された連結具２９ａにも、連結具２９ａと同様に、支持部材３０ａが取付けられており、支持部材３０ａには、第２のアクチュエータ１８ａが回動可能に取付けられている。
第１、第２のアクチュエータ１６、１８は側板２６の近傍に設けられ、第１、第２のアクチュエータ１６ａ、１８ａは側板２７の近傍に設けられている。回動板１７は横長に形成され、回動板１７の基部は、左右がそれぞれ、第１のアクチュエータ１６に固定された連結具２９及び第１のアクチュエータ１６ａに固定された連結具２９ａに軸止めされている。
【００２０】
第１のアクチュエータ１６（第１のアクチュエータ１６ａについても同じ）は、軸心が傾斜面１３に沿って傾斜した状態でコンテナ１２に固定され、可動ロッド２８は傾斜面１３に沿って進退する。
第２のアクチュエータ１８、１８ａも第１のアクチュエータ１６、１６ａと同様に油圧シリンダであり、同時に作動することによって、回動板１７を、傾斜面１３に平行な軸を基準にして回動させ、回動板１７の先端部（一側）を傾斜面１３に接近させ、あるいは遠ざける。
第１のアクチュエータ１６、１６ａ及び第２のアクチュエータ１８、１８ａは、図示しない操作リモコンに信号接続され、操作リモコンで作動開始の操作が行われると、予め定められた動作を行って、空箱収容溝１４に置かれたダンボールの空箱を開口１１を介してコンテナ１２内に押し込む。
【００２１】
操作リモコンで作動開始の操作が行われる前、第１のアクチュエータ１６、１６ａは共に、可動ロッド２８が後退位置にあり、回動板１７を、対向面１３ａから最も離れた位置で保持している。このとき、回動板１７は、先端部が傾斜面１３から遠ざけられた状態で固定されている。
操作リモコンで作動開始の操作が行われると、第１のアクチュエータ１６、１６ａが作動を開始し、図２（Ａ）に示すように、回動板１７を対向面１３ａに向かって移動させる。
【００２２】
第１のアクチュエータ１６、１６ａは、予め定められた位置まで回動板１７を移動させると停止する。次に、第２のアクチュエータ１８、１８ａが作動を開始し、回動板１７を回動させて、回動板１７の先端部を傾斜面１３に接近させる。
このとき、空箱収容溝１４内にダンボールの空箱が置かれていると、そのダンボールの空箱は、回動している回動板１７と傾斜面１３によって挟まれ、押し潰される。
【００２３】
第２のアクチュエータ１８、１８ａが停止すると、第１のアクチュエータ１６、１６ａが作動して、押し潰されたダンボールの空箱を傾斜面１３に沿って移動させ開口１１に向かわせる。そして、第１のアクチュエータ１６、１６ａは、図２（Ｂ）に示すように、回動板１７に当接しているダンボールの空箱を開口１１を介してコンテナ１２内に押し込んで停止する。
ここで、回動板１７は、横長であるので、空箱送り機構１９は、一度に複数のダンボールの空箱を押し潰してコンテナ１２内に押し込むことが可能である。
また、コンテナ１２内に収容されたダンボールの空箱は、観音扉２３を開け放つことでコンテナ１２内から取出し可能となる。
【００２４】
以上、本考案の実施の形態を説明したが、本考案は、上記した形態に限定されるものでなく、要旨を逸脱しない条件の変更等は全て本考案の適用範囲である。
例えば、コンテナに取付けられる扉は、２枚の扉パネルを備えた観音扉でなく、１枚の扉パネルを備えたものであってもよい。
【符号の説明】
【００２５】
１０：機械式圧縮古紙格納庫、１１：開口、１１ａ：周縁、１２：コンテナ、１３：傾斜面、１３ａ：対向面、１４：空箱収容溝、１５：空箱支持部材、１６、１６ａ：第１のアクチュエータ、１７：回動板、１８、１８a：第２のアクチュエータ、１９：空箱送り機構、２０：棒材、２１：金属板、２２：扉パネル、２３：観音扉、２４：ロック機構、２５：固定具、２６、２７：側板、２８：可動ロッド、２９、２９ａ：連結具、３０、３０ａ：支持部材
【図１】
0003172730.tif 000003
【図２】
0003172730.tif 000004